Podtech/llm-jp-corpus-v4-ja_patent huggingface dataset:
【手続補正書】
【提出日】平成25年4月22日(2013.4.22)
【手続補正１】
【補正対象書類名】特許請求の範囲
【補正対象項目名】全文
【補正方法】変更
【補正の内容】
【特許請求の範囲】
【請求項１】
ガラス用前炉（１１）内の温度を制御するシステムであって、
前記前炉内のガラスを加熱するために前記前炉に対応する少なくとも１つのバーナ（２４）と、
前記バーナに結合されたマニホルド（２２）と、
前記バーナに結合された燃焼用燃料供給源（２６）と、
周囲空気を圧力下で前記マニホルドに送出する燃焼用空気用のブロワ（２０）と、
前記バーナに結合され且つ前記バーナの作動を制御するコントローラ（３０）と、
前記ブロワの下流側に作動的に結合されていて、前記ブロワによって前記マニホルドに送出される燃焼用空気の温度を表す温度信号を前記コントローラに供給する温度センサ（３６）と、を有し、
前記コントローラ（３０）は、前記温度信号に応答して、前記バーナの作動を、前記マニホルドに供給される燃焼用空気の現在の温度の関数として制御し、
前記温度センサ（３６）は、前記ブロワ（２０）の下流に且つ前記マニホルド（２２）の上流に結合され、
前記コントローラ（３０）は、前記温度信号に応答して、前記バーナの作動を、少なくとも２日間の先行する一定の期間にわたる燃焼用空気の移動平均温度の関数として制御する、システム。
【請求項２】
燃焼用空気の前記移動平均温度は、５〜１５日間の先行する一定の期間にわたるものである、請求項１に記載のシステム。
【請求項３】
前記現在の温度を前記移動平均温度で割り算した温度補償係数を得る、請求項１又は２に記載のシステム。
【請求項４】
前記バーナ（２４）は、前記バーナの中を通る可燃混合気の流れを制御するように動作可能な弁（２８）又は可変速ブロワ（３０）を有し、
前記コントローラ（３０）は、前記弁の作動及び前記バーナの中を通る流量を制御するために前記弁又は前記ブロワに結合される、請求項１〜３のいずれか１項に記載のシステム。
【請求項５】
更に、前記マニホルド内の圧力を表す信号を前記コントローラに供給するように前記マニホルド（２２）及び前記コントローラ（３０）に結合された圧力センサ（３４）を有し、
前記コントローラは、前記圧力センサからの信号に応答して、前記弁の作動又はブロワの速度を、前記バーナの中を通る質量流量を一定にするように前記マニホルド圧力の関数として変化させる、請求項４に記載のシステム。
【請求項６】
前記コントローラ（３０）は、前記バーナの中を通る質量流量を一定に維持するように動作可能である、請求項１〜３のいずれか１項に記載のシステム。
【請求項７】
更に、前記前炉に結合された冷却用空気供給源（３１）を有し、
前記コントローラ（３０）は、前記バーナ（２４）の中を通る前記質量流量を一定に維持している間、前記前炉内の温度の制御を可能にするように前記前炉への冷却用空気の流量を制御するために前記冷却用空気供給源に結合されている、請求項６に記載のシステム。
【請求項８】
前記コントローラ（３０）は、前記冷却用空気の流量を第１の前炉作動条件範囲にわたり変化させるように作動可能であり、
前記バーナ（２４）の中を通る前記質量流量は、第２の前炉作動条件範囲の間、増大させられる、請求項７に記載のシステム。
【請求項９】
前炉（１１）内のガラス温度を制御する方法であって、
前記前炉（１１）は、前記前炉内のガラスを加熱するために前記前炉に対応する少なくとも１つのバーナ（２４）と、前記バーナに結合されたマニホルド（２２）と、前記バーナに結合された燃焼用燃料供給源（２６）と、周囲空気を圧力下で前記マニホルドに送出する燃焼用空気用のブロワ（２０）とを有し、
前記方法は、
前記バーナに供給される燃焼用空気の圧力を表す信号をコントローラ（３０）に供給するステップと、
前記マニホルドに送出された燃焼用空気の前記ブロワの下流側における温度を表す信号を前記コントローラ（３０）に供給するステップと、
前記バーナの出力を、前記圧力を表す信号及び前記温度を表す信号の関数として制御するステップと、を有し、
前記バーナの出力は、少なくとも２日間の先行する一定の期間にわたる燃焼用空気の移動平均温度の関数として制御される、方法。
【請求項１０】
燃焼用空気の前記移動平均温度は、５〜１５日間の先行する一定の期間にわたるものである、請求項９に記載の方法。
【請求項１１】
前炉（１１）内のガラス温度を制御する方法であって、
前記前炉（１１）は、前記前炉内のガラスを加熱するために前記前炉に対応する少なくとも１つのバーナ（２４）と、前記バーナに結合されたマニホルド（２２）と、前記バーナに結合された燃焼用燃料供給源（２６）と、空気を圧力下で前記マニホルドに送出する燃焼用空気ブロワ（２０）と、前記前炉と連通している冷却用空気供給源（３１）と、を有し、
前記方法は、前記マニホルドに供給される冷却用空気の流量の関数としてバーナ圧力公称曲線を生成するステップを有し、前記バーナ圧力公称曲線は、第１の部分と第２の部分を含み、前記第１の部分では、所望の第１の温度条件範囲にわたる前記バーナの下流側のガラス温度を、少なくとも部分的に前記システムに供給される冷却用空気の流量を調節することによって制御し、前記第２の部分では、前記第１の温度条件範囲と異なる所望の第２の温度条件範囲にわたる前記バーナの下流側のガラス温度を、少なくとも主として前記バーナの圧力を調節することによって制御し、
前記方法は更に、前記バーナ圧力を、前記バーナ圧力公称曲線の関数として制御するステップを有する、方法。
【請求項１２】
前記冷却用空気の流量の変化速度は、前記バーナ圧力公称曲線の第２の部分の間、前記バーナ圧力の変化速度よりも小さい、請求項１１に記載の方法。
【請求項１３】
前記冷却用空気の流量は、前記バーナ圧力公称曲線の第２の部分の間、一定に維持される、請求項１２に記載の方法。
【請求項１４】
前記バーナ圧力の変化速度は、前記バーナ圧力公称曲線の第１の部分の間、前記冷却用空気の流量の変化速度よりも小さい、請求項１１に記載の方法。
【請求項１５】
前記バーナ圧力は、前記バーナ圧力公称曲線の第１の部分の間、一定に維持される、請求項１１に記載の方法。
【手続補正書】
【提出日】平成24年12月17日(2012.12.17)
【手続補正１】
【補正対象書類名】特許請求の範囲
【補正対象項目名】全文
【補正方法】変更
【補正の内容】
【特許請求の範囲】
【請求項１】
第１の基板（１）と第２の基板（２）を有する素子であって、
前記第１の基板（１）には少なくとも１つのオプトエレクトロニクス素子（４）が配設されており、該オプトエレクトロニクス素子（４）は少なくとも１つの有機材料を含んでおり、
前記第１の基板（１）と第２の基板（２）は、当該第１の基板（１）と第２の基板（２）の間にオプトエレクトロニクス素子（４）が設けられるように互いに相対して配設されており、
接続材料（３）が、前記第１の基板（１）と第２の基板（２）の間に設けられており、前記接続材料（３）は、オプトエレクトロニクス素子（４）を取り囲んで、前記第１の基板（１）と第２の基板（２）を相互に機械的に接続しており、
前記接続材料（３）は、専ら２０ｗｔ％乃至７０ｗｔ％の割合の酸化銀を含み、
前記接続材料（３）は、当該接続材料（３）の熱膨張係数を低減させる、少なくとも１つの充填材（５）を含んでおり、
前記接続材料（３）は、無鉛ガラスを含み、当該ガラスの成分は酸化バナジウムであり、さらに、
前記基板（１，２）は、ソーダ石灰ガラスから形成されていることを特徴とする素子。
【請求項２】
前記接続材料（３）は、低融点のガラスを含み、当該ガラスの加熱温度に対する融点は３５０℃以下にある、請求項１記載の素子。
【請求項３】
前記接続材料（３）は、ガラスフリット又はガラスろう材を含んでいる、請求項１または２記載の素子。
【請求項４】
前記充填材（５）は、負の熱膨張係数を有している、請求項１から３いずれか１項記載の素子。
【請求項５】
前記接続材料（３）における充填材（５）の割合は、５０ｗｔ％よりも少ない、請求項１から４いずれか１項記載の素子。
【請求項６】
前記接続材料（３）における充填材（５）の割合は、３０ｗｔ％よりも少ない、請求項５記載の素子。
【請求項７】
前記接続材料（３）は、さらなる充填材（６）を含んでおり、前記さらなる充填材（６）は、ビーム吸収性の特性を備えている、請求項１から６いずれか１項記載の素子。
【請求項８】
前記さらなる充填材（６）は、スピネル、又はスピネル化合物である、請求項７記載の素子。
【請求項９】
前記接続材料（３）は、少なくとも１つのさらなる物質（７）を含み、該少なくとも１つのさらなる物質（７）は、前記第１の基板（１）と第２の基板（２）相互のスペーサーとして用いられる、請求項１から８いずれか１項記載の素子。
【請求項１０】
前記第１の基板（１）は、前記第２の基板（２）を越えて横方向に突出し、前記第２の基板（２）から見て、前記第１の基板（１）は当該第２の基板（２）よりも大きい基準面を有している、請求項１から９いずれか１項記載の素子。
【請求項１１】
前記オプトエレクトロニクス素子（４）は、有機光を発するダイオード（ＯＬＥＤ）である、請求項１から１０いずれか１項記載の素子。
【請求項１２】
前記接続材料（３）が無鉛及び低融点のガラスであり、
前記充填材（５）は、負の熱膨張係数を有し、
前記接続材料（３）における充填材（５）の割合は、３０ｗｔ％よりも少なく、
前記接続材料（３）は、ビーム吸収性のさらなる充填材（６）を含み、
前記接続材料（３）は、専ら５０ｗｔ％乃至７０ｗｔ％の割合の酸化銀を含んでおり、
前記さらなる充填材（６）は、スピネルである、請求項１記載の素子。
【請求項１３】
素子を製造するための方法であって、
以下の方法ステップ、すなわち、
少なくとも１つの有機材料を含む少なくとも１つのオプトエレクトロニクス素子（４）が配設されている第１の基板（１）を準備するステップと、
第２の基板（２）を準備するステップと、
専ら２０ｗｔ％乃至７０ｗｔ％の割合の酸化銀を含み、かつ、接続材料（３）の熱膨張係数を変更、有利には低減させる少なくとも１つの充填材（５）が埋込まれている、接続材料（３）を、前記第１の基板（１）又は前記第２の基板（２）に配設するステップと、
前記オプトエレクトロニクス素子（４）と前記接続材料（３）とが第１の基板（１）と第２の基板（２）の間に配設され、前記接続材料（３）によってオプトエレクトロニクス素子（４）が取り囲まれるように、前記第１の基板（１）と第２の基板（２）とを互いに相対的に配設するステップと、
前記接続材料（３）を溶融させ、それによって前記第１の基板（１）と第２の基板（２）を相互に機械的に接続させるステップとを有し、
前記接続材料（３）は、無鉛ガラスを含み、当該ガラスの成分は酸化バナジウムであり、
前記基板（１，２）は、ソーダ石灰ガラスから形成されていることを特徴とする方法。
【請求項１４】
請求項１から１２いずれか１項記載の素子を製造するための、請求項１３記載の方法。
【請求項１５】
溶融のために、４００℃よりも低い温度が用いられ、
前記接続材料（３）は、前記基板（１，２）のうちの１つに被着させるためにペースト状の性質を有し、前記接続材料（３）は、ある一点からスタートして中断されることなく、１つの完全に閉じられたフレームが形成されるように被着され、
前記被着の後で当該接続材料（３）は、自身が被着されている基板（１，２）と一緒に焼結処理を施されることを特徴とする、請求項１３又は１４記載の方法。
【手続補正書】
【提出日】平成25年3月27日(2013.3.27)
【手続補正１】
【補正対象書類名】特許請求の範囲
【補正対象項目名】全文
【補正方法】変更
【補正の内容】
【特許請求の範囲】
【請求項１】
任意の容器（２００）に対して使用するためのトグル式分注用クロージャ（１０）であって、
前記クロージャ（１０）が、横床（１８）および外壁（１６）を有するハウジング（１４）と、アクチュエータ（５０）とを有し、該アクチュエータ（５０）が、横床（１８）の上に横たわる頂部後方壁（８０）を含む頂部壁（５２）を有し、ノズル床（１０５）を備えるノズル開口（６０）を画定し、
ａ．前記アクチュエータ（５０）が、閉鎖された非分注位置と開いた分注位置との間を移動のためにハウジング（１４）の内側に枢動可能に取り付けられ、
ｂ．前記アクチュエータ（５０）が、長軸を備えるヒンジ（５７）を有する後方フランジ（５５）を有し、前記ヒンジ（５７）が、後方フランジ（５５）を頂部後方壁（８０）に隣接する上部後方フランジ（９１）と後方フランジリム（１０１）に隣接する下部後方フランジ（９３）とに分割し、
ｃ．それによってヒンジ長軸が、横床（１８）に実質的に平行に方向付けられ、
前記アクチュエータが、ハウジングの内側に非対称に取り付けられ、
後方アクチュエータフランジ（５５）が、ハウジング（１４）内で第１の位置において頂部後方壁（８０）の下に延在することを特徴とする、クロージャ。
【請求項２】
ａ．ノズル床に垂直な長さＬ１を有し、かつノズル床に対向する前方フランジリムの方に延在するハウジング内にノズル床の下に延在する前方アクチュエータフランジをさらに備え、
ｂ．後方フランジが、頂部後方壁に垂直な長さＬ２を有し、頂部後方壁に対向する後方フランジリムの方に延在し、
ｃ．Ｌ１とＬ２との比が、約０．１から０．３３までの範囲にある請求項１に記載のクロージャ。
【請求項３】
ヒンジが、外側ハウジング壁から間隔を置いて配置され、長さＬ３を有し、ヒンジが、ヒンジが曲げられない場合に横床の上部表面に垂直な線に沿ってＬ４の距離のところに配置され、ヒンジが曲げられない場合にヒンジ長軸に垂直な線に沿ってＬ５の距離のところに配置されかつ下部後方フランジリムの方に延在し、Ｌ４とＬ５との比が、約０．０１から０．２０までの範囲にある、請求項１に記載のクロージャ。
【請求項４】
下部後方フランジが、クロージャが密封係合される任意の容器に弾性接触するように適合され、それによって、下部後方フランジが、第１の位置において第１の力を加えることに応じて前記容器の上のアクチュエータの移動を防止するが、前記第１の位置において下方に加えられる実質的により大きな第２の力に応じて前記アクチュエータを移動できるようにする、請求項１に記載のクロージャ。
【請求項５】
ヒンジが、アクチュエータに一体に成形される、厚さが約１ｍｍ以下のプラスチックの薄肉領域である、請求項１に記載のクロージャ。
【請求項６】
前記アクチュエータが、熱可塑性材料を備え、後方下部フランジが、２５℃において弾性的である、請求項１に記載のクロージャ。
【請求項７】
ハウジングに対してアクチュエータの回転軸が、ハウジングの中心線から少なくとも８０％偏位しており、ここに０％は、対称回転が可能であり、１００％が、ハウジング内でアクチュエータのいかなる回転も可能でない、請求項１に記載のクロージャ。
【手続補正書】
【提出日】平成25年4月8日(2013.4.8)
【手続補正１】
【補正対象書類名】特許請求の範囲
【補正対象項目名】全文
【補正方法】変更
【補正の内容】
【特許請求の範囲】
【請求項１】
重油を処理して、粘度を減少させ有害な不純物を除去すること、
水素と一酸化炭素との混合物を形成するのに十分な水蒸気改質反応条件下で、処理された前記重油と水とを反応させること、
水素と一酸化炭素との混合物を形成するのに十分な乾燥改質反応条件下で、処理された前記重油と二酸化炭素とを反応させること、
前記蒸気改質および乾燥改質の工程で生成された水素と一酸化炭素との混合物を組み合わせて、約２：１と２．１：１との間のモル比で水素と一酸化炭素とを形成すること、および
メタノールのみを生成するのに十分な条件下で、水素と一酸化炭素との混合物をその成分を分離すること無しに反応させることを含む
メタノールを生成する方法。
【請求項２】
前記重油が、タールサンド、油頁岩、様々な重油の沈殿物またはそれらの残渣を含む、任意の適切な供給源から得られ、
粘度が低減されるように、ならびに、硫黄および金属が取り除かれるように前記重油が処理される
請求項１に記載の方法。
【請求項３】
３０〜４０のＡＰＩ指数を有するように、ならびに、硫黄および金属の少なくとも９９．８％を除去するように前記重油が処理される
請求項２に記載の方法。
【請求項４】
生成される一酸化炭素に対する水素のモル比がおよそ２．０５：１である
請求項１に記載の方法。
【請求項５】
前記メタノールを形成するのに適切な温度かつ適切なモル比の単一工程で、前記水蒸気改質および乾燥改質の工程が共に実行される
請求項１に記載の方法。
【請求項６】
約８００℃〜１１００℃の温度の触媒の存在下における単一工程で、前記水蒸気改質および乾燥改質の工程が共に実行される
請求項１に記載の方法。
【請求項７】
前記触媒が、単一の金属触媒、単一の金属酸化物触媒、金属および金属酸化物の混合触媒、または少なくとも１つの金属酸化物と他の金属酸化物との混合触媒を含み、前記触媒は酸化物担持体上に随意に提供される
請求項６に記載の方法。
【手続補正書】
【提出日】平成25年4月17日(2013.4.17)
【手続補正１】
【補正対象書類名】特許請求の範囲
【補正対象項目名】全文
【補正方法】変更
【補正の内容】
【特許請求の範囲】
【請求項１】
(i) 式（Ｉ）：
【化１】
2012525323.tif 000001
（式中、Ｒ１は脱プロトン化し得る水素原子を有する単環状の含窒素複素環基を示し、Ｒ２はエステル化されていてもよいカルボキシル基を示し、Ｒ３は置換されていてもよい低級アルキル基を示す。）で表される化合物又はその塩であって、１−（シクロヘキシルオキシカルボニルオキシ）エチル  ２−エトキシ−１−［［２’−（１Ｈ−テトラゾール−５−イル）ビフェニル−４−イル］メチル］ベンズイミダゾール−７−カルボキシラート、２−エトキシ−１−［［２'−（１Ｈ−テトラゾール−５−イル）ビフェニル−４−イル］メチル］−１Ｈ−ベンズイミダゾール−７−カルボン酸、および２−エトキシ−１−［［２’−（４，５−ジヒドロ−５−オキソ−１，２，４−オキサジアゾール−３−イル）ビフェニル−４−イル］メチル］−１Ｈ−ベンズイミダゾール−７−カルボン酸からなる群から選択される化合物又はこれらの塩、(ii) 糖アルコール、及び(iii) カルシウム拮抗薬を含有する、固形製剤。
【請求項２】
式（Ｉ）で表される化合物又はその塩が、１−（シクロヘキシルオキシカルボニルオキシ）エチル  ２−エトキシ−１−［［２’−（１Ｈ−テトラゾール−５−イル）ビフェニル−４−イル］メチル］ベンズイミダゾール−７−カルボキシラート又はその塩である、請求項１記載の固形製剤。
【請求項３】
式（Ｉ）で表される化合物又はその塩が、２−エトキシ−１−［［２’−（４，５−ジヒドロ−５−オキソ−１，２，４−オキサジアゾール−３−イル）ビフェニル−４−イル］メチル］−１Ｈ−ベンズイミダゾール−７−カルボン酸又はその塩である、請求項１記載の固形製剤。
【請求項４】
糖アルコールが、マンニトール、ソルビトール又はエリスリトールである、請求項１記載の固形製剤。
【請求項５】
糖アルコールがマンニトールである、請求項１記載の固形製剤。
【請求項６】
カルシウム拮抗薬が、アゼルニジピン、アムロジピン、アラニジピン、エホニジピン、シルニジピン、ニカルジピン、ニソルジピン、ニトレンジピン、ニフェジピン、ニルバジピン、バルニジピン、フェロジピン、ベニジピン、マニジピン又はこれらの塩である、請求項１記載の固形製剤。
【請求項７】
カルシウム拮抗薬がアムロジピン又はその塩である、請求項１記載の固形製剤。
【請求項８】
ポリエチレングリコールをさらに含有する、請求項１記載の固形製剤。
【請求項９】
ポリエチレングリコールの分子量が１，０００〜１０，０００である、請求項８記載の固形製剤。
【請求項１０】
(i) １−（シクロヘキシルオキシカルボニルオキシ）エチル ２−エトキシ−１−［［２’−（１Ｈ−テトラゾール−５−イル）ビフェニル−４−イル］メチル］ベンズイミダゾール−７−カルボキシラート又はその塩、(ii) マンニトール、及び(iii) アムロジピン又はその塩を含有する、固形製剤。
【請求項１１】
(i) ２−エトキシ−１−［［２’−（４，５−ジヒドロ−５−オキソ−１，２，４−オキサジアゾール−３−イル）ビフェニル−４−イル］メチル］−１Ｈ−ベンズイミダゾール−７−カルボン酸又はその塩、(ii) マンニトール、及び(iii) アムロジピン又はその塩を含有する、固形製剤。
【手続補正２】
【補正対象書類名】明細書
【補正対象項目名】００８８
【補正方法】変更
【補正の内容】
【００８８】
利尿剤としては、例えば、キサンチン誘導体（例、サリチル酸ナトリウムテオブロミン、サリチル酸カルシウムテオブロミンなど）、チアジド系製剤（例、エチアジド(ethiazide)、シクロペンチアジド(cyclopenthiazide)、トリクロルメチアジド(trichloromethyazide)、ヒドロクロロチアジド(hydrochlorothiazide)、ヒドロフルメチアジド(hydroflumethiazide)、ベンチルヒドロクロロチアジド(benzylhydrochlorothiazide)、ペンフルチアジド(penfluthiazide)、ポリチアジド(polythiazide)、メチクロチアジド(methyclothiazide)など）、抗アルドステロン製剤（例、スピロノラクトン(spironolactone)、トリアムテレン(triamterene)など）、炭酸脱水酵素阻害剤（例、アセタゾラミド(acetazolamide)など）、クロルベンゼンスルホンアミド系製剤（例、クロルタリドン(chlortalidone)、メフルシド(mefruside)、インダパミド(indapamide)など）、アゾセミド(azosemide)、イソソルビド(isosorbide)、エタクリン酸、ピレタニド(piretanide)、ブメタニド(bumetanide)、フロセミド(furosemide)などが挙げられる。
【手続補正３】
【補正対象書類名】明細書
【補正対象項目名】０１４１
【補正方法】変更
【補正の内容】
【０１４１】
【表１５】
2012525323.tif 000002
【手続補正書】
【提出日】平成25年3月26日(2013.3.26)
【手続補正１】
【補正対象書類名】特許請求の範囲
【補正対象項目名】全文
【補正方法】変更
【補正の内容】
【特許請求の範囲】
【請求項１】
アロプリノールまたはその医薬的に許容される塩を含んでなる、多標的キナーゼ阻害剤（ＭＫＩ）治療によって誘発される手足皮膚反応（ＨＦＳＲ）の治療または予防のための医薬。
【請求項２】
前記手足皮膚反応が、スニチニブによって誘発されるものである、請求項１に記載の医薬。
【請求項３】
前記手足皮膚反応が、ソラフェニブによって誘発されるものである、請求項１に記載の医薬。
【請求項４】
前記医薬が局所投与用であり、好ましくは手または足の皮膚への局所投与用である、請求項１〜３のいずれか一項に記載の医薬。
【請求項５】
前記医薬がクリーム、好ましくは親水性クリームである、請求項１〜４のいずれか１項に記載の医薬。
【請求項６】
前記医薬が、アロプリノールまたはその医薬的に許容される塩の組成物を約１〜１０重量％、好ましくは約１％〜約８重量％、より好ましくは約２〜約５重量％含んでなる、請求項１〜５のいずれか１項に記載の医薬。
【請求項７】
前記医薬が、アロプリノールまたはその医薬的に許容される塩の組成物を約３重量％含んでなる、請求項１に記載の医薬。
【請求項８】
多標的キナーゼ阻害剤（ＭＫＩ）治療によって誘発される手足皮膚反応（ＨＦＳＲ）を治療または予防するための医薬の製造において用いるための、アロプリノールまたはその医薬的に許容される塩の使用。
【請求項９】
多標的キナーゼ（ＭＫＩ）治療によって誘発される手足皮膚反応（ＨＦＳＲ）の治療または予防において使用するための、アロプリノール。
【請求項１０】
スニチニブによって誘発される手足皮膚反応（ＨＦＳＲ）の治療または予防において使用するための、アロプリノール。
【請求項１１】
ソラフェニブによって誘発される手足皮膚反応（ＨＦＳＲ）の治療または予防において使用するための、アロプリノール。
【手続補正書】
【提出日】平成25年3月11日(2013.3.11)
【手続補正１】
【補正対象書類名】特許請求の範囲
【補正対象項目名】全文
【補正方法】変更
【補正の内容】
【特許請求の範囲】
【請求項１】
アレルゲン駆動性気道病態の予防または治療のための、気管細胞毒素（ＴＣＴ）、百日咳毒素（ＰＴＸ）、および皮膚壊死毒素（ＤＮＴ）を欠損した弱毒化ボルデテラ・ペルトゥッシス（Bordetella pertussis）生ワクチン。
【請求項２】
アレルゲン駆動性気道病態が、アレルギー性喘息、枯草熱および間質性肺疾患から成る群より選択される、請求項１記載の弱毒化ボルデテラ・ペルトゥッシス生ワクチン。
【請求項３】
対象が、新生児または乳児である、請求項１または２記載の弱毒化ボルデテラ・ペルトゥッシス生ワクチン。
【請求項４】
ＢＰＺＥ１株である、請求項１〜３のいずれか一項記載の弱毒化ボルデテラ・ペルトゥッシス生ワクチン。
【請求項５】
異種抗原を有する、請求項１〜４のいずれか一項記載の弱毒化ボルデテラ・ペルトゥッシス生ワクチン。
【請求項６】
鼻腔投与または吸入によって投与される、請求項１〜５のいずれか一項記載の弱毒化ボルデテラ・ペルトゥッシス生ワクチン。
【手続補正書】
【提出日】平成25年11月8日(2013.11.8)
【手続補正１】
【補正対象書類名】特許請求の範囲
【補正対象項目名】全文
【補正方法】変更
【補正の内容】
【特許請求の範囲】
【請求項１】
式（Ｉ）の多価不飽和脂肪酸（ＰＵＦＡ）誘導体である化合物：
【化１】
2012525362.tif 000001
ラセミ体、１つの立体異性体または立体異性体の混合物または医薬品として許容できるその塩または溶媒和物の形態にあり、式中
−Ａｌｋ−が−（ＣＨ２）４−ＣＨ（ＯＲ２）−［ｔｒａｎｓ］ＣＨ＝ＣＨ−［ｃｉｓ］ＣＨ＝ＣＨ−、−（ＣＨ２）４−［ｃｉｓ］ＣＨ＝ＣＨ−［ｔｒａｎｓ］ＣＨ＝ＣＨ−ＣＨ（ＯＲ２）−、−ＣＨ（ＯＲ２）−［ｔｒａｎｓ］ＣＨ＝ＣＨ−［ｃｉｓ］ＣＨ＝ＣＨ−ＣＨ２−［ｃｉｓ］ＣＨ＝ＣＨ−（ＣＨ２）３−、−（ＣＨ２）３−ＣＨ（ＯＲ２）−［ｔｒａｎｓ］ＣＨ＝ＣＨ−［ｃｉｓ］ＣＨ＝ＣＨ−ＣＨ２−［ｃｉｓ］ＣＨ＝ＣＨ−、または−（ＣＨ２）３−［ｃｉｓ］ＣＨ＝ＣＨ−ＣＨ２−［ｃｉｓ］ＣＨ＝ＣＨ−［ｔｒａｎｓ］ＣＨ＝ＣＨ−ＣＨ（ＯＲ２）−であり；
Ｒ１が水素原子であるか；または
Ｒ１がＣ１−Ｃ６アルキル、Ｃ２−Ｃ６アルケニル、Ｃ２−Ｃ６アルキニル、Ｃ６−Ｃ１０アリール、５から１０員環ヘテロアリール、Ｃ３−Ｃ７炭素環または５から１０員環複素環基であるか；または
Ｒ１が式−ＣＨ２−ＣＨ（ＯＲ３）−ＣＨ２−（ＯＲ４）の基であって、Ｒ３およびＲ４がそれぞれ独立に水素原子または−（Ｃ＝Ｏ）−Ｒ６であることを特徴とし、Ｒ６が３から２９個の炭素原子を有する脂肪族基であることを特徴とする基であるか、または
Ｒ１が式−（ＣＨ２ＯＣＨ２）ｍＯＨの基であって、ｍが１から２００の整数であることを特徴とする基であるか；または
Ｒ１が薬物部分であり；
各Ｒ２が同一であるかまたは異なりかつそれぞれが独立に水素原子；または
基−（Ｃ＝Ｏ）−Ｒ５であって、Ｒ５がＣ１−Ｃ６アルキル、Ｃ２−Ｃ６アルケニル、Ｃ２−Ｃ６アルキニル、Ｃ６−Ｃ１０アリール、５から１０員環へテロアリール、Ｃ３−Ｃ７炭素環または５から１０員環複素環基であるか、またはＲ５が３から２９個の炭素原子を有する脂肪族基であるか、またはＲ５が薬物部分であることを特徴とする基；または
式−（ＣＨ２ＯＣＨ２）ｎＯＨの基であって、ｎが１から２００の整数であることを特徴とする基；または
薬物部分を表し；
かつ式中
前記アルキル、アルケニル、アルキニルおよび脂肪族基が同一であるかまたは異なりかつそれぞれ非置換であるかまたは同一であるかまたは異なりかつ水素原子およびＣ１−Ｃ４アルコキシ、Ｃ２−Ｃ４アルケニルオキシ、Ｃ１−Ｃ４ハロアルキル、Ｃ２−Ｃ４ハロアルケニル、Ｃ１−Ｃ４ハロアルコキシ、Ｃ２−Ｃ４ハロアルケニルオキシ、ヒドロキシル、Ｒ’およびＲ”が同一であるかまたは異なりかつ水素または非置換Ｃ１−Ｃ２アルキルを表すＳＲ’およびＮＲ’Ｒ”から選択される１、２または３個の置換基によって置換され；
前記アリール、ヘテロアリール、炭素環および複素環基が同一であるかまたは異なりかつそれぞれ非置換であるかまたは同一であるかまたは異なりかつハロゲン原子、およびシアノ、ニトロ、Ｃ１−Ｃ４アルキル、Ｃ１−Ｃ４アルコキシ、Ｃ２−Ｃ４アルケニル、Ｃ２−Ｃ４アルケニルオキシ、Ｃ１−Ｃ４ハロアルキル、Ｃ２−Ｃ４ハロアルケニル、Ｃ１−Ｃ４ハロアルコキシ、Ｃ２−Ｃ４ハロアルケニルオキシ、ヒドロキシル、Ｃ１−Ｃ４ヒドロキシアルキル、各Ｒ’およびＲ”が同一であるかまたは異なりかつ水素または非置換Ｃ１−Ｃ４アルキルを表すことを特徴とするＳＲ’およびＮＲ’Ｒ”から選択される１，２，３または４個の置換基で置換される；
を含む、神経機能を改善することによって哺乳類における神経損傷を治療または予防するための医薬品。
【請求項２】
請求項１に記載の化合物を含む、ニューロパチーに罹患している哺乳類における神経機能を改善するための医薬品。
【請求項３】
Ｒ１が水素原子であることを特徴とする請求項１又は２に記載の医薬品。
【請求項４】
Ｒ２が水素原子であることを特徴とする請求項１〜３のいずれか１つに記載の医薬品。
【請求項５】
−Ａｌｋ−が−（ＣＨ２）４−［ｃｉｓ］ＣＨ＝ＣＨ−［ｔｒａｎｓ］ＣＨ＝ＣＨ−ＣＨ（ＯＲ２）−または−（ＣＨ２）３−［ｃｉｓ］ＣＨ＝ＣＨ−ＣＨ２−［ｃｉｓ］ＣＨ＝ＣＨ−［ｔｒａｎｓ］ＣＨ＝ＣＨ−ＣＨ（ＯＲ２）−であることを特徴とし、各Ｒ２が同一であるかまたは異なりかつ請求項１または３に定義する通りであることを特徴とする請求項１〜４のいずれか１つに記載の医薬品。
【請求項６】
−Ａｌｋ−が−（ＣＨ２）３−［ｃｉｓ］ＣＨ＝ＣＨ−ＣＨ２−［ｃｉｓ］ＣＨ＝ＣＨ−［ｔｒａｎｓ］ＣＨ＝ＣＨ−ＣＨ（ＯＲ２）−であることを特徴とし、Ｒ２が請求項１または４に記載する通りであることを特徴とする請求項５に記載の医薬品。
【請求項７】
前記ＰＵＦＡ誘導体がＲ光学異性体として存在することを特徴とする請求項１〜６のいずれか１つに記載の医薬品。
【請求項８】
前記ＰＵＦＡ誘導体がＳ光学異性体として存在することを特徴とする請求項１から６のうちいずれか１つに記載の医薬品。
【請求項９】
前記哺乳類がヒトであることを特徴とする請求項１〜８のいずれか１つに記載の医薬品。
【請求項１０】
前記化合物が経口的、非経口的または静脈内投与されることを特徴とする請求項１〜９のいずれか１つに記載の医薬品。
【請求項１１】
前記神経損傷が末梢ニューロパチーであることを特徴とする請求項１〜１０のいずれか１つに記載の医薬品。
【請求項１２】
前記末梢ニューロパチーが糖尿病性ニューロパチーであることを特徴とする請求項１１に記載の医薬品。
【請求項１３】
前記糖尿病性ニューロパチーが感覚神経、運動神経および／または自律神経の糖尿病性ニューロパチーであることを特徴とする請求項１２に記載の医薬品。
【請求項１４】
糖尿病によって発生する、めまい、消化不良、膀胱感染症、靴擦れ、大腿筋の損耗、性的機能不全、しびれ、焼灼感、疼痛、下肢および脚の刺痛、温度感覚の低下または消失、足首反射の低下および／または振動感覚の低下である疾病又は病状を神経機能を改善することによって治療または予防するための医薬品であって、ラセミ体、１つの立体異性体または立体異性体の混合物、または医薬品として許容できるその塩、または溶媒和物の形態である、請求項１及び３〜８のいずれか１つに定義されるところの、式（Ｉ）の多価不飽和脂肪酸（ＰＵＦＡ）誘導体である化合物を含む、前記医薬品。
【請求項１５】
疾病又は病状が勃起機能不全である、請求項１４に記載の医薬品。
【手続補正書】
【提出日】平成25年4月26日(2013.4.26)
【手続補正１】
【補正対象書類名】特許請求の範囲
【補正対象項目名】全文
【補正方法】変更
【補正の内容】
【特許請求の範囲】
【請求項１】
対象において炎症および創傷治癒プロセスの調節に使用する組成物であって、有効量の式Ｉのホスホノテトラヒドロピラン化合物のホスホネートプロドラッグ、
【化１】
2012525369.tif 000001
および許容される医薬担体を含み、
前記ホスホネートプロドラッグは、ホスホン酸官能基のモノ又はジ−エステルであり、
式中、ｎは０から３の整数であり、−Ｏ（ＣＨ2）nＲ基はアキシアルまたはエクアトリアル位にあり、Ｒは低級アルキル、または任意選択的に置換されたヘテロアリールもしくは任意選択的に置換されたアリールであり、ここで置換基は−Ｃｌ、−Ｆ、ＣＦ3、ＣＨ3、ＣＨ2ＣＨ3、−ＯＣＨ3、−ＯＣＦ3、−（ＣＨ2）mＣＯ2Ｒ1、−（ＣＨ2）mＯＲ2、−（ＣＨ2）mＣＯＮＨＲ2、−（ＣＨ2）mＮＨＲ2、および−（ＣＨ2）mＣＯＮＲ2Ｒ3（式中、ｍは０から３の整数であり、Ｒ1はＨ、アルキルおよびアリールからなる群から選択され、Ｒ2およびＲ3は独立して、Ｈ、アルキル、アリールおよびアシルからなる群から選択される）からなる群から選択される
ことを特徴とする組成物。
【請求項２】
前記対象は過剰なコラーゲン、フィブロネクチンおよびまたは他の細胞外マトリックス成分の沈着を伴う疾患または障害を有することを特徴とする請求項１に記載の使用のための組成物。
【請求項３】
前記疾患または障害は肺線維症、緑内障、強皮症、肝線維症、心線維症、腎線維症または腎不全であることを特徴とする請求項２に記載の使用のための組成物。
【請求項４】
創傷治癒プロセスは外科的処置の後で生じること、好ましくは、眼の手術を含む外科的処置、内部臓器および組織に対して実施される外科的処置、表皮層に対して実施される外科的処置、または、腱損傷を修復するための外科的処置であることを特徴とする請求項１に記載の使用のための組成物。
【請求項５】
前記外科的処置は表皮層に対して実施され、且つ前記外科的処置はケロイド形成をもたらし得るか、または前記外科的処置は美容整形手術または形成外科手術を伴うことを特徴とする請求項４に記載の使用のための組成物。
【請求項６】
前記組成物は炎症および創傷治癒の部位に投与されることを特徴とする請求項１の組成物。
【請求項７】
前記組成物は肺に直接投与されることを特徴とする請求項６に記載の使用のための組成物。
【請求項８】
前記組成物は眼に直接投与されることを特徴とする請求項６に記載の使用のための組成物。
【請求項９】
前記組成物は外科的処置後の創傷に直接投与されることを特徴とする請求項６に記載の使用のための組成物。
【請求項１０】
対象において肺線維症の治療に使用する組成物であって、
有効量の式Ｉのホスホノテトラヒドロピラン化合物のホスホネートプロドラッグを含み、
【化２】
2012525369.tif 000002
前記ホスホネートプロドラッグは、ホスホン酸官能基のモノ又はジ−エステルであり、
式中、ｎは０から３の整数であり、−Ｏ（ＣＨ2）nＲ基はアキシアルまたはエクアトリアル位にあり、Ｒは低級アルキル、または任意選択的に置換されたヘテロアリールもしくは任意選択的に置換されたアリールであり、ここで置換基は−Ｃｌ、−Ｆ、ＣＦ3、ＣＨ3、ＣＨ2ＣＨ3、−ＯＣＨ3、−ＯＣＦ3、−（ＣＨ2）mＣＯ2Ｒ1、−（ＣＨ2）mＯＲ2、−（ＣＨ2）mＣＯＮＨＲ2、−（ＣＨ2）mＮＨＲ2、および−（ＣＨ2）mＣＯＮＲ2Ｒ3（式中、ｍは０から３の整数であり、Ｒ1はＨ、アルキルおよびアリールからなる群から選択され、Ｒ2およびＲ3は独立して、Ｈ、アルキル、アリールおよびアシルからなる群から選択される）からなる群から選択される
ことを特徴とする組成物。
【請求項１１】
前記対象は特発性肺線維症または他の肺の線維性障害を患っていることを特徴とする請求項１０に記載の使用のための組成物。
【請求項１２】
請求項１０または１１に記載の使用のための組成物であって、さらに、Ｎ−アセチルシステイン、アミノグアニジン、抗ＶＥＧＦ抗体、バチマスタット、ボセンタン、デキサメタゾン、ジフルオロメチルオルニチン、エタネルセプト、ゲフィチニブ、イマチニブ、メチルプレドニゾロン、ペントキシフィリン、ピルフェニドン、プレドニゾロン、ロジグリタゾン、ＴＧＦ−ベータ抗体、ＴＮＦ−アルファ抗体、およびビンブラスチンから選択される１種の化合物を含むことを特徴とする組成物。
【請求項１３】
請求項１〜１２の何れか一項に記載の使用のための組成物であって、前記ホスホネートプロドラッグは、式ＩＩの化合物であり、
【化３】
2012525369.tif 000003
Ｘはハロゲン又は置換アルキルであり、Ｐxはアルキルであることを特徴とする組成物。
【請求項１４】
前記式ＩＩの化合物は下記に記載の化合物から成る群から選択される請求項１３に記載の使用のための組成物。
【化４】
2012525369.tif 000004
【請求項１５】
前記対象はヒトであることを特徴とする請求項１〜１４の何れか一項に記載の使用のための組成物。
【手続補正書】
【提出日】平成25年3月28日(2013.3.28)
【手続補正１】
【補正対象書類名】特許請求の範囲
【補正対象項目名】全文
【補正方法】変更
【補正の内容】
【特許請求の範囲】
【請求項１】
ヒトまたは動物の体表面感染の治療に使用するための、水性液体と、過酸化水素源を含むドレッシング材との組み合わせ。
【請求項２】
前記体表面感染が、真菌感染である請求項１に記載の組み合わせ。
【請求項３】
前記体表面が、ヒトの爪部位である請求項１または２に記載の組み合わせ。
【請求項４】
前記水性液体が、ペルオキシダーゼ酵素を含む請求項１〜３のいずれかに記載の組み合わせ。
【請求項５】
前記ペルオキシダーゼが、ラクトペルオキシダーゼ、西洋ワサビペルオキシダーゼ、またはそれらの混合物を含む請求項４に記載の組み合わせ。
【請求項６】
前記水性液体中のペルオキシダーゼ酵素の濃度が、１〜１０００μｇ／ｍｌの範囲である請求項４または５に記載の組み合わせ。
【請求項７】
前記水性液体が、界面活性剤および／または溶媒を含む請求項１〜６のいずれかに記載の組み合わせ。
【請求項８】
前記ドレッシング材は、使用時に前記爪部位に水分を与える請求項１〜７のいずれかに記載の組み合わせ。
【請求項９】
前記ドレッシング材が、水和ヒドロゲル材を含む請求項１〜８のいずれかに記載の組み合わせ。
【請求項１０】
前記過酸化水素源が、オキシドリダクターゼ酵素、酸素源、および前記酵素の基質源を含む過酸化水素発生手段である請求項１〜９のいずれかに記載の組み合わせ。
【請求項１１】
前記オキシドリダクターゼ酵素が、グルコースオキシダーゼを含む請求項１０に記載の組み合わせ。
【請求項１２】
前記ドレッシング材は、個別の第１および第２の層を含み、前記第１の層は、オキシドリダクターゼ酵素を含み、かつ前記ドレッシング材の外側部分近くに位置し、前記第２の層は、前記基質源を含み、かつ前記ドレッシング材の内側部分近くに位置する請求項１０または１１に記載の組み合わせ。
【請求項１３】
ヒトまたは動物の体表面感染の治療用薬剤の製造における、水性液体と、過酸化水素源を含むドレッシング材との組み合わせの使用。
【手続補正書】
【提出日】平成25年3月15日(2013.3.15)
【手続補正１】
【補正対象書類名】特許請求の範囲
【補正対象項目名】全文
【補正方法】変更
【補正の内容】
【特許請求の範囲】
【請求項１】
船舶燃料供給システムであって、
燃料フィルタ筐体および燃料蒸気セパレータ筐体の少なくとも１つと、
前記少なくとも１つの燃料フィルタ筐体または燃料蒸気セパレータ筐体から延在する下側支持キャップと、
前記下側支持キャップから上方向に延在する熱シールドとを含み、
前記少なくとも１つの燃料フィルタ筐体および燃料蒸気セパレータ筐体と、前記下側支持キャップと、前記熱シールドとは、６５０℃の炎に２  １／２分間直接的に晒されても溶けない熱硬化プラスチックのモノリシックピースとして構成される、船舶燃料供給システム。
【請求項２】
前記下側支持キャップから延在するとともに、前記下側支持キャップとの熱硬化プラスチックのモノリシックピースとして構成される搭載板をさらに含む、請求項１に記載の船舶燃料供給システム。
【請求項３】
前記搭載板は、燃料フィルタ筐体または燃料蒸気セパレータ筐体の前記少なくとも１つに取付けられる、請求項２に記載の船舶燃料供給システム。
【請求項４】
前記搭載板および前記熱シールドは、互いに横方向に間隔を空けた関係で前記下側支持キャップの対向する側から延在する、請求項２に記載の船舶燃料供給システム。
【請求項５】
前記燃料蒸気セパレータ筐体の外部に搭載される高圧力燃料ポンプをさらに含み、前記熱シールドは前記高圧力燃料ポンプを遮蔽するように構成される、請求項４に記載の船舶燃料供給システム。
【請求項６】
前記熱シールドは前記燃料フィルタ筐体から延在する、請求項５に記載の船舶燃料供給システム。
【請求項７】
前記熱シールドと前記搭載板との間に配置される前記下側支持キャップとは別個のピースの材料として構成される燃料蒸気セパレータ筐体をさらに含む、請求項５に記載の船舶燃料供給システム。
【請求項８】
前記下側支持キャップは前記燃料フィルタ筐体と前記燃料蒸気セパレータ筐体との両方との熱硬化プラスチックのモノリシックピースとして構成される、請求項１に記載の船舶燃料供給システム。
【請求項９】
前記燃料蒸気セパレータ筐体内に配置される高圧力燃料ポンプおよび低圧力燃料ポンプをさらに含む、請求項８に記載の船舶燃料供給システム。
【請求項１０】
前記高圧力燃料ポンプと前記低圧力燃料ポンプとの間を延在するバッフル壁をさらに含み、前記バッフル壁は前記燃料蒸気セパレータ筐体との熱硬化プラスチックのモノリシックピースとして構成される、請求項９に記載の船舶燃料供給システム。
【請求項１１】
前記燃料蒸気セパレータ筐体内に配置される高圧力燃料ポンプと、前記燃料フィルタ筐体内に配置される低圧力燃料ポンプとをさらに含む、請求項８に記載の船舶燃料供給システム。
【請求項１２】
燃料フィルタ筐体および燃料蒸気セパレータ筐体の少なくとも１つを、前記筐体から延在する一体成形された下側支持キャップおよび前記下側支持キャップから上方向に延在する一体成形された熱シールドと、６５０℃の炎に２  １／２分間直接的に晒されても溶けない熱硬化プラスチックを用いて成形するステップを含む、船舶燃料供給システムのための構成要素を構成する方法。
【請求項１３】
前記下側支持キャップから延在する搭載板を、前記下側支持キャップとの熱硬化プラスチックのモノリシックピースとして成形するステップをさらに含む、請求項１２に記載の方法。
【請求項１４】
前記燃料フィルタ筐体または前記燃料蒸気セパレータ筐体のうちの少なくとも１つと取付けられた関係で前記搭載板を成形する、請求項１３に記載の方法。
【請求項１５】
前記搭載板と前記熱シールドとを前記下側支持キャップの対向する側上に互いに横方向に間隔を空けた関係で成形する、請求項１３に記載の方法。
【請求項１６】
前記燃料蒸気セパレータ筐体と前記熱シールドとの間に高圧力燃料ポンプを搭載するステップをさらに含む、請求項１５に記載の方法。
【請求項１７】
前記熱シールドを前記燃料フィルタ筐体と取付けられる関係に成形するステップをさらに含む、請求項１６に記載の方法。
【請求項１８】
前記熱シールドと前記搭載板との間の前記下側支持キャップとは別個のピースの材料として構成される燃料蒸気セパレータ筐体を配置するステップをさらに含む、請求項１６に記載の方法。
【請求項１９】
前記燃料フィルタ筐体および前記燃料蒸気セパレータ筐体の両方との熱硬化プラスチックのモノリシックピースとして前記下側支持キャップを成形するステップを含む、請求項１２に記載の方法。
【請求項２０】
高圧力燃料ポンプおよび低圧力燃料ポンプを前記燃料蒸気セパレータ筐体内に配置するステップをさらに含む、請求項１９に記載の方法。
【請求項２１】
前記高圧力燃料ポンプと前記低圧力燃料ポンプとの間を延在するバッフル壁を、燃料蒸気セパレータ筐体との熱硬化プラスチックのモノリシックピースとして成形するステップをさらに含む、請求項２０に記載の方法。
【請求項２２】
高圧力燃料ポンプを前記燃料蒸気セパレータ筐体内に配置するとともに、低圧力燃料ポンプを前記燃料フィルタ筐体内に配置するステップをさらに含む、請求項１９に記載の方法。
【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
調整器の流体流路を通過する流体の流動を調整するための位置決め装置アセンブリであって、
管状制御部材と、
前記管状制御部材内に少なくとも部分的に配置され、前記調整器のケーシングに固定されるように適合される、中心ロッドと、
前記管状制御部材内に配置され、前記中心ロッドに対して固定される、第１のバネ座と、
前記管状制御部材内に少なくとも部分的に配置され、それを貫通して前記中心ロッドが延在する開口部を画定する、第２のバネ座と、
第１のバネ座と第２のバネ座との間に配置される、バネであって、前記調整器のケーシングに対して所定の位置に、前記管状制御部材を付勢するように適合される、バネと、
を備え、
前記第２のバネ座は、前記制御部材に対して固定される、バネ座アダプタと、前記バネに係合し、前記バネ座アダプタに対する変位のために適合される、シートリングとを備え、それによって前記管状制御部材内で前記バネを自己整合する、
位置決め装置アセンブリ。
【請求項２】
前記シートリングは、前記バネ座アダプタに対して関節運動する、請求項１に記載のアセンブリ。
【請求項３】
前記第２のバネ座は、前記シートリングが前記バネ座アダプタに対して関節運動することができるように、前記バネ座アダプタと前記シートリングとの間にボールソケット型継ぎ手を備える、請求項１に記載のアセンブリ。
【請求項４】
前記バネ座アダプタは、部分的球状凸面を備え、前記シートリングは、前記バネ座アダプタの前記部分的球状凸面に係合する、請求項３に記載のアセンブリ。
【請求項５】
前記シートリングは、前記バネ座アダプタの前記部分的球状凸面に係合する、部分的球状凹面を備える、請求項４に記載のアセンブリ。
【請求項６】
前記第１のバネ座と前記管状制御部材の内面との間に配置される、ナイロンガイドリングをさらに備え、前記ナイロンガイドリングは、前記第１のバネ座と前記管状制御部材との間の移動を容易にする、請求項１に記載のアセンブリ。
【請求項７】
前記第２のバネ座の前記バネ座アダプタは、前記管状制御部材に螺着される、請求項１に記載のアセンブリ。
【請求項８】
流体のための流路を画定する、弁本体と、
前記弁本体に連結される、アクチュエータケーシングと、
請求項１に記載の位置決め装置アセンブリと、
を備える、調整器。
【請求項９】
前記シートリングは、前記バネ座アダプタに対して関節運動する、請求項８に記載の調整器。
【請求項１０】
前記第２のバネ座は、前記シートリングが前記バネ座アダプタに対して関節運動することができるように、前記バネ座アダプタと前記シートリングとの間にボールソケット型継ぎ手を備える、請求項８に記載の調整器。
【請求項１１】
前記バネ座アダプタは、部分的球状凸面を備え、前記シートリングは、前記バネ座アダプタの前記部分的球状凸面に係合する、請求項１０に記載の調整器。
【請求項１２】
前記シートリングは、前記バネ座アダプタの前記部分的球状凸面に係合する、部分的球状凹面を備える、請求項１１に記載の調整器。
【請求項１３】
前記第１のバネ座と前記管状制御部材の内面との間に配置される、ナイロンガイドリングをさらに備え、前記ナイロンガイドリングは、前記第１のバネ座と前記管状制御部材との間の移動を容易にする、請求項８に記載の調整器。
【手続補正書】
【提出日】平成25年4月15日(2013.4.15)
【手続補正１】
【補正対象書類名】特許請求の範囲
【補正対象項目名】全文
【補正方法】変更
【補正の内容】
【特許請求の範囲】
【請求項１】
ハウジング（２、２’）を備える家具用のダンパ、特にヒンジ用のダンパ（１、１’）であって、
前記ハウジング内には、ピストンロッド（３、３’）に接続されるピストン（８、８’）が移動可能に受容され、前記ハウジング（２、２’）内での前記ピストン（８、８’）の動作中に前記ピストン（８、８’）上または前記ピストン（８、８’）内の少なくとも１つのフローチャンネル（１１、１１’）を通じて流体が流れ、前記ピストン（８、８’）の動作中に異なる制動力が色々な方向で得られ、プレート（１２、１２’）を前記ピストン（８、８’）に対して移動することにより、少なくとも１つの溝（２０、２０’）の幾つかの部分で前記フローチャンネルの断面を変えることができる、ダンパ（１、１’）において、
少なくとも１つの前記溝（２０、２０’）に略漏斗形状の出口（２２、２２’）が形成され、および／または、前記溝（２０’）が径方向に対して角度を成して配置される部分を有し、もって、キャビテーションを回避するようになっており、
前記略漏斗形状の出口（２２、２２’）が湾曲された移行部を有し、
前記溝（２０）と前記フローチャンネル（１１）との間における前記移行部の曲率半径が０．３〜２ｍｍの範囲内にすることができることを特徴とする、ダンパ。
【請求項２】
前記溝（２０’）が曲り部分を有することを特徴とする、請求項１に記載のダンパ。
【請求項３】
前記溝（２０’）が波状または螺旋状に形成されることを特徴とする、請求項１または２に記載のダンパ。
【請求項４】
前記溝（２０’）が少なくとも５ｍｍの長さを有することを特徴とする、請求項１〜３のいずれか一項に記載のダンパ。
【請求項５】
前記漏斗形状の出口（２２、２２’）が、前記ピストン（８、８’）の軸方向フローチャンネル（１１、１１’）に隣接して配置されることを特徴とする、請求項１〜４のいずれか一項に記載のダンパ。
【手続補正書】
【提出日】平成25年8月23日(2013.8.23)
【手続補正１】
【補正対象書類名】明細書
【補正対象項目名】００１３
【補正方法】変更
【補正の内容】
【００１３】
振動減衰素材、振動遮断素材又は音吸収素材は好ましくは弾性素材である。当該素材の静的弾性係数は０．０２５〜５［Ｎ／ｍｍ2］の範囲内にある。当該素材は好ましくはエラストマーである。それは、例えば発砲性のポリウレタンエラストマー、ゴムエラストマー又は熱可塑性エラストマーであってもよい。
【手続補正書】
【提出日】平成25年4月10日(2013.4.10)
【手続補正１】
【補正対象書類名】特許請求の範囲
【補正対象項目名】全文
【補正方法】変更
【補正の内容】
【特許請求の範囲】
【請求項１】
製紙プロセスで用いられる、特定の粒度分布を有する綿状塊に凝集した充填剤粒子の安定分散物を調製する方法であって：
ａ）充填剤粒子の水性スラリーを提供する工程；
ｂ）第一の綿状塊凝集剤は凝集剤であり、充填剤粒子の顕著な綿状塊凝集を引き起こさずに、分散物に均一に混合するのに十分な量の第一の綿状塊凝集剤を分散物に添加する工程；
ｃ）第一の綿状塊凝集剤を添加した後に、分散物に、第一の綿状塊凝集剤の存在下で、充填剤粒子の綿状塊凝集を開始させるのに十分な量の、第一の綿状塊凝集剤と反対の電荷を有する、第二の綿状塊凝集剤を添加する工程；及び
ｄ）所望の粒径を有する充填剤の綿状塊の分散物を提供するために、綿状塊に凝集した分散物を随意にせん断する工程、を含む方法。
【請求項２】
製紙プロセスで用いられる、高い荷電を用いて分散される綿状塊に凝集した充填剤粒子の安定分散物を調製する方法であって：
ａ）陰イオン性に分散された充填剤粒子の水性スラリーを提供する工程；
ｂ）低分子量組成物を分散物に添加する工程であって、添加される該低分子量組成物は少なくとも部分的に分散物の荷電を中和する；
ｃ）高度の混合条件の下で、第一の綿状塊凝集剤を分散物に添加する工程；
ｄ）高度の混合条件の下で、第二の綿状塊凝集剤を分散物に添加する工程であって、該第二の綿状塊凝集剤は、凝集剤、凝固剤、微小粒子、及びそれらの任意の組み合わせよりなる軍群から選ばれ；及び
ｅ）所望の粒径を有する充填剤の綿状塊の分散物を提供するために、綿状塊に凝集した分散物を随意にせん断する工程、を含む方法。